(57)【要約】【課題】 パソコンに備えられた１つのＵＳＢポートに対して、ＵＳＢ接続型記録媒体が接続された状態でも、更に他のＵＳＢ接続型記録媒体を接続可能にして、メモリの増設を行なえるようにしたＵＳＢ接続型記録媒体を提供する。【解決手段】  着脱可能な状態でＩＣカードを備え、前記ＩＣカードとの間でデータの書き込み及び読み取りを行なうＩＣカードリーダライタ部と、外部装置のＵＳＢポートに挿入して接続するためのＵＳＢコネクタとを備えるＵＳＢ接続型記録媒体において、前記ＵＳＢ接続型記録媒体には、前記ＵＳＢコネクタが設けられた側面と反対側に、他のＵＳＢ接続型記憶媒体に設けられているＵＳＢコネクタを挿入して接続するためのＵＳＢポートが設けられていることを特徴とする。【選択図】        図1
2005346591.tif 000002
【特許請求の範囲】
【請求項１】
着脱可能な状態でＩＣカードを備え、前記ＩＣカードとの間でデータの書き込み及び読み取りを行なうＩＣカードリーダライタ部と、外部装置のＵＳＢポートに挿入して接続するためのＵＳＢコネクタとを備えるＵＳＢ接続型記録媒体において、
前記ＵＳＢ接続型記録媒体には、前記ＵＳＢコネクタが設けられた側面と反対側に、他のＵＳＢ接続型記憶媒体に設けられているＵＳＢコネクタを挿入して接続するためのＵＳＢポートが設けられていることを特徴とするＵＳＢ接続型記録媒体。
【発明の詳細な説明】
【技術分野】
【０００１】
本発明は、ＵＳＢポートを持つパーソナルコンピュータ（以下、パソコンという。）に接続して、ＩＣカードに記憶されているデータの読み取りを行い、それらのデータをパソコンに書き込むなどの処理を行なうＵＳＢ接続型記録媒体に関する。
【背景技術】
【０００２】
従来、パソコンには、ＵＳＢ（Ｕｎｉｖｅｒｓａｌ  Ｓｅｒｉａｌ  Ｂｕｓ）ポートが備えられ、種々の処理装置などとＵＳＢケーブルを介して接続させたり、ＵＳＢポートに対して直接的に接続可能なＵＳＢコネクタを有するＵＳＢ接続型記録媒体などを接続することで、様々なデータ処理が行なえるようにしてある。
特に、大容量のアプリケーションの保管や、画像データ、音声データ、指紋データなどの大容量認証データの保管や、書類データのセキュリティ管理などが必要となり、パソコンのメモリ容量では足りない場合には、パソコンのＵＳＢポートにＵＳＢ接続型記録媒体のＵＳＢコネクタを接続して、メモリを増設して対応することができる。（例えば、特許文献１参照）
【特許文献１】特開２００３−１６２６９５号公報
【０００３】
しかしながら、一般的にパソコンには、１つのＵＳＢポートが備えている場合が多く、  このＵＳＢポートにＵＳＢ接続型記録媒体を接続させてしまった場合には、更にＵＳＢ接続型記録媒体を接続させて、メモリの増設を行なうことができないという問題がある。
【発明の開示】
【発明が解決しようとする課題】
【０００４】
本発明は、パソコンに備えられた１つのＵＳＢポートに対して、ＵＳＢ接続型記録媒体が接続された状態でも、更に他のＵＳＢ接続型記録媒体を接続可能にして、メモリの増設を行なえるようにしたＵＳＢ接続型記録媒体を提供する。
【課題を解決するための手段】
【０００５】
本発明のＵＳＢ接続型記録媒体は、着脱可能な状態でＩＣカードを備え、前記ＩＣカードとの間でデータの書き込み及び読み取りを行なうＩＣカードリーダライタ部と、外部装置のＵＳＢポートに挿入して接続するためのＵＳＢコネクタとを備えるＵＳＢ接続型記録媒体において、前記ＵＳＢ接続型記録媒体には、前記ＵＳＢコネクタが設けられた側面と反対側に、他のＵＳＢ接続型記憶媒体に設けられているＵＳＢコネクタを挿入して接続するためのＵＳＢポートが設けられていることを特徴とする。
【発明の効果】
【０００６】
本発明のＵＳＢ接続型記録媒体によれば、ＵＳＢ接続型記録媒体にＵＳＢポートが設けられているので、パソコンのＵＳＢポートに対してＵＳＢ接続型記録媒体を接続させた状態で、更に他のＵＳＢ接続型記録媒体のＵＳＢコネクタを、パソコンに接続させたＵＳＢ接続型記録媒体のＵＳＢポートに接続させて、メモリの増設を行なうことができるという効果がある。
【発明を実施するための最良の形態】
【０００７】
以下、本発明の実施の形態を図面に基づいて詳細に説明する。
図１は、本発明の実施形態に係るＵＳＢ接続型記録媒体の外形を示す図、図２は、図１のＡ−Ａ線断面図、図３は、本発明の実施形態に係るＵＳＢ接続型記録媒体のシステムブロック図、図４は、本発明の実施形態に係るＵＳＢ接続型記録媒体の接続方法を説明する図、図５は、本発明の実施形態に係るＵＳＢ接続型記録媒体を用いて接続した状態を示す図である。
【０００８】
図１に示すように、本発明の実施の形態に係るＵＳＢ接続型記録媒体１は、表面に液晶ディスプレイ２を有し、左端部にはＵＳＢコネクタ３を有し、右端部には、ＵＩＭカード４の挿入口５と、ＵＳＢポート６とを有している。
また、液晶ディスプレイ２と挿入口５の間にスイッチボタン７，８が設けられている。符号９は、電源用のＬＥＤ表示である。
ＵＳＢ接続型記録媒体１を携帯する際には、キー取り付け穴１０にストラップ等を通せばＵＳＢ接続型記録媒体１の不用意な脱落を防止できる。
【０００９】
ＵＳＢ接続型記録媒体１に備えられているＵＳＢポート６は、他のＵＳＢ接続型記録媒体１が備えているＵＳＢコネクタを挿入するためのものである。
これにより、パソコンに接続させたＵＳＢ接続型記録媒体に、更に他のＵＳＢ接続型記録媒体を順次に接続させて、ＵＳＢ接続型記録媒体に記憶させておいたデータをパソコンで処理りたり、パソコンで処理したデータをＵＳＢ接続型記録媒体に記憶させるなどすることができるようにしてある。
【００１０】
液晶ディスプレイ２は、ＵＩＭカード４のＩＣチップが保持する情報をスイッチボタン８の操作により順次表示するようにされている。
液晶ディスプレイ２には、ドットマトリクスタイプの反射型カラー液晶表示を採用でき、図形表示も可能である。
液晶ディスプレイ２の厚みは、１．０ｍｍ〜１．５ｍｍ程度となる。表面面積は、幅２０ｍｍ〜３０ｍｍから長さ５０ｍｍ〜７０ｍｍ程度のものにできる。
尚、液晶ディスプレイ２に限らず、有機ＥＬや電子ペーパーなど、薄型で消費電力の少ない表示装置を代替して利用することができる。
【００１１】
図２は、図１のＡ−Ａ線断面図を示す。
この場合は、ＵＩＭカード４が装着されている状態を示している。
ＵＩＭカード４と液晶ディスプレイ２との間には、リーダライタ（Ｒ／Ｗ）端子板１１があって、ＵＩＭカード４の接触端子板１４との接触が確保される。
ＵＳＢ接続型記録媒体１は、液晶ディスプレイ２やリーダライタ端子板１１を備える上盤部１２と下側ケース部１３を分割して成形し、配線基板等を組み込んだ後に組み合わせて一体にすることが多い。
図示してないが、アンテナコイルは、前記配線基板の周囲に配線したり、上盤部１２や下側ケース部１３の内面に配線させることができる。
【００１２】
次に、図３に基づいて、本発明の実施の形態に係るＵＳＢ接続型記録媒体１のシステム構成について説明する。
図３に示すように、ＵＳＢ接続型記録媒体１は、制御用ＩＣチップ１５が内臓され、ＵＩＭカード４を着脱可能に装着できる構成を有している。
制御用ＩＣチップ１５は、ＣＰＵとメモリを有すると共に、ＩＳＯ７８１６ドライバ１６と液晶ディスプレイ駆動用の液晶ドライバ１７、および赤外通信用の赤外線ドライバ１８を有している。
但し、これらの全てが一体にＩＣチップ化されているものには限られない。
ＵＩＭカード４の信号は、リーダライタ（Ｒ／Ｗ）端子板１１とリレー１９を介して制御用ＩＣチップ１５に接続し、また、パソコンのＵＳＢポート２０からの信号は、ＵＳＢ／ＩＳＯ７８１６変換ＩＣ２１、及びリレー１９を介して制御用ＩＣチップ１５に接続する。
【００１３】
リーダライタ端子板１１は、ＵＩＭカード４が備える接触端子板の８端子と接続する構造を有している。
接触端子の場合、予備端子となっている２端子が、ＵＳＢ接続型記録媒体１のケーシング内のアンテナコイル１３に接続するように構成されている。
アンテナコイル２２は、ＩＳＯ１４４４３ＴｙｐｅＡ，Ｂに準拠した非接触通信を行うためのものである。
ＵＳＢ接続型記録媒体１は、液晶ディスプレイ２や制御用ＩＣチップ１５等の駆動電源としてバッテリ（二次電池）２４を備えることが好ましい。
バッテリ２４には、薄型のリチウムイオン電池を好ましく使用できる。
スイッチボタン２５は、電源のオン−オフ、スイッチボタン２６は、表示選択や動作決定のために用いられる。
【００１４】
ＵＳＢ接続型記録媒体１は、ＵＳＢコネクタ３がパソコンのＵＳＢポート２０に挿入されている場合は、バッテリ２４は接続されないようになっている。
したがって、この場合は、スイッチボタン２５をオンしても制御用ＩＣチップ１５のＣＰＵは動作せず液晶ディスプレイ２も表示されない。
液晶ディスプレイ２は、パソコンに接続しない場合であって、スイッチボタン２５をオンした場合にのみ表示される。
【００１５】
この場合（電源ボタンオン時）には、リレー１９はＣＰＵとリーダライタ端子板１１を接続する。
ＵＳＢコネクタ３がＵＳＢポート２０に挿入されているＵＳＢ駆動時は、リレー１９は制御用ＩＣチップ１５のＣＰＵとＵＳＢポートを接続する。
また、アンテナコイル２２によりＩＳＯ１４４４３通信中に電源ボタンがオフされたり、ＵＳＢコネクタ３がＵＳＢポート２０に挿入された場合には、ハードウェアリセットがかかり、ＵＩＭカード４はＡＴＲ（ａｎｓｗｅｒ  ｔｏ  ｒｅｓｅｔ）を返す。
すなわち、非接触通信は強制的に中断されるようになっている。
【００１６】
ＵＳＢ接続型記録媒体１は、赤外線通信手段を備えることができる。
赤外線通信手段は、制御用ＩＣチップ１５の赤外線ドライバ１６により制御され、赤外線受発信部２７は、赤外線発行部と受講部、およびフィルタ等を備え、これと同様な構成で受発信部を備える外部電子機器と交信してデータの送受信をすることができる。
この場合、ＵＩＭカード４の情報は制御用ＩＣチップ１５により処理され、赤外線受発信部２７の発光部により光電変換されて外部電子機器に送信される。
他方、外部電子機器からの信号は、受光部が光電変換し、制御用ＩＣチップ１５を経てＵＩＭカード４に送信される。
これにより、ＩＳＯ１４４４３非接触よりも長い近距離間における非接触通信が可能となる。
更に、ＵＳＢ接続型記録媒体１は、ＵＳＢ接続型記録媒体１のＵＳＢポート６のＵＳＢコントローラ２８を備え、リレー１９に接続されている。
【００１７】
本発明の実施の形態に係るＵＳＢ接続型記録媒体１の使用方法を図４及び図５に基づいて説明する。
まず、図４に示すように、パソコン２９に備えられているＵＳＢポート２０に対して、ＵＳＢ接続型記録媒体１に備えられているＵＳＢコネクタ３を挿入し、更にＵＳＢ接続型記録媒体１に備えられているＵＳＢポート６に対して、他のＵＳＢ接続型記録媒体１ａのＵＳＢコネクタ３を挿入させる。
そして、図５に示す状態のように、パソコン２９とＵＳＢ接続型記録媒体１と他のＵＳＢ接続型記録媒体１ａとを連結させることで、パソコン２９により、ＵＳＢ接続型記録媒体１と他のＵＳＢ接続型記録媒体１ａとを用いた処理を行うことができる。
【００１８】
以上のように、本発明のＵＳＢ接続型記録媒体は、ＵＳＢポートが１つだけ備えている場合でも、パソコンで複数のＵＳＢ接続型記録媒体を利用した処理が可能となる。
【図面の簡単な説明】
【００１９】
【図１】本発明の実施形態に係るＵＳＢ接続型記録媒体の外形を示す図である。
【図２】図１のＡ−Ａ線断面図である。
【図３】本発明の実施形態に係るＵＳＢ接続型記録媒体のシステムブロック図である。
【図４】本発明の実施形態に係るＵＳＢ接続型記録媒体の接続方法を説明する図である。
【図５】本発明の実施形態に係るＵＳＢ接続型記録媒体を用いて接続した状態を示す図である。
【符号の説明】
【００２０】
１  ＵＳＢ接続型記録媒体
２  液晶ディスプレイ
３  ＵＳＢコネクタ
４  ＵＩＭカード
５  挿入口
６，２０  ＵＳＢポート
７，８  スイッチボタン
９  電源用のＬＥＤ表示
１０  キー取り付け穴
１１  リーダライタ（Ｒ／Ｗ）端子板
１２  上盤部
１３  下側ケース部
１４  接触端子板
１５  制御用ＩＣチップ
１６  ＩＳＯ７８１６ドライバ
１７  液晶ディスプレイ駆動用の液晶ドライバ
１８  赤外通信用の赤外線ドライバ
１９  リレー
２１  ＵＳＢ／ＩＳＯ７８１６変換ＩＣ
２２  アンテナコイル
２４  バッテリ（二次電池）
２５，２６  スイッチボタン
２７  赤外線受発信部
２８  ＵＳＢコントローラ
２９  パソコン
【図１】
2005346591.tif 000003
【図２】
2005346591.tif 000004
【図３】
2005346591.tif 000005
【図４】
2005346591.tif 000006
【図５】
2005346591.tif 000007